(57)【要約】【課題】色を視認させることにより情報を表示する場合に汎用性を持たせる。【解決手段】白色及び黒色のいずれかを切り替え可能に表示する表示領域２１ａ，２１ｂを具備する情報表示シート２０と、通知情報に応じた形状に透視部１１ａ，１１ｂと黒からなる非透視部１２ａ，１２ｂとが組み合わされた領域を具備する重ね合わせラベル１０とを有する。【選択図】図１
2012123171.tif 000002
【特許請求の範囲】
【請求項１】
第１及び第２の色のいずれかを切り替え可能に表示する表示領域を具備する情報表示部材と、
通知情報に応じた形状に透視部と前記第２の色からなる非透視部とが組み合わされてなる重ね合わせ部材とを有し、
前記表示領域上に、互いに異なる通知情報に応じた形状に前記透視部と前記非透視部とが組み合わされてなる複数の重ね合わせ部材が選択的に重ね合わされる情報表示装置。
【発明の詳細な説明】
【技術分野】
【０００１】
本発明は、情報を可変に表示可能な情報表示装置に関する。
【背景技術】
【０００２】
従来より、情報を表示する表示装置として、ＣＲＴディスプレイや液晶ディスプレイ、プラズマディスプレイ等が用いられており、これらは、テレビ受像機に用いられることによりテレビ局から送信されたテレビ映像を表示したり、パソコンのディスプレイとして用いられることにより、パソコンに保存された情報やインターネットを介して配信された情報を表示したりすることができる。これらの表示装置は、それぞれ一長一短を有しており、例えば、ＣＲＴディスプレイは、視野角が広いものの奥行きサイズが厚く、また、液晶ディスプレイは、奥行きサイズが薄いものの視野角が狭く、また、プラズマディスプレイは、視野角が広く奥行きサイズが薄いものの消費電力が多い。
【０００３】
近年、上述したような表示装置に加えて、デジタル情報を紙のように薄い表示媒体に表示する薄型の情報表示装置が普及しはじめている。薄型の情報表示装置は、紙のように薄いために携帯がしやすいとともに、消費電力が少なく、また視野角が広く、さらには、電極に印加する電圧によって表示される情報を書き換えることができるとともに、電源を切断した場合でも表示内容を保持できることから、今後のさらなる普及が予想される。
【０００４】
上記のような薄型の情報表示装置としては、対向する２つの電極間に、印加される電位差に応じて状態が変化する情報表示層を挟み込んでおき、２つの電極に電圧を印加することにより、その電位差に応じた色を視認させるものが利用されている。そこで、情報表示層上に所定のパターンを印刷しておくことにより、情報表示層による色によってそのパターンを視認可能としたり、視認困難としたりすることが考えられている（例えば、特許文献１参照。）。
【先行技術文献】
【特許文献】
【０００５】
【特許文献１】特開２００９−８６０２９号公報
【発明の概要】
【発明が解決しようとする課題】
【０００６】
しかしながら、上述したように、情報表示層上に所定のパターンを印刷しておくことにより、情報表示層による色によってそのパターンを視認可能としたり、視認困難としたりするものにおいては、決められた情報を視認可能としたり視認困難としたりするだけであるため、汎用性が乏しいという問題点がある。
【０００７】
本発明は、上述したような従来の技術が有する問題点に鑑みてなされたものであって、色を視認させることにより情報を表示する場合に汎用性を持たせることができる情報表示装置を提供することを目的とする。
【課題を解決するための手段】
【０００８】
上記目的を達成するために本発明は、
第１及び第２の色のいずれかを切り替え可能に表示する表示領域を具備する情報表示部材と、
通知情報に応じた形状に透視部と前記第２の色からなる非透視部とが組み合わされてなる重ね合わせ部材とを有し、
前記表示領域上に、互いに異なる通知情報に応じた形状に前記透視部と前記非透視部とが組み合わされてなる複数の重ね合わせ部材が選択的に重ね合わされる。
【０００９】
上記のように構成された本発明においては、情報表示部材に設けられた表示領域に重ね合わせ部材が重ね合わされた状態で表示領域にて第１の色が表示されると、重ね合わせ部材の透視部を介して表示領域の第１の色が視認され、この第１の色と重ね合わせ部材の非透視部の第２の色とから通知情報が表示される。また、情報表示部材に設けられた表示領域に重ね合わせ部材が重ね合わされた状態で表示領域にて第２の色が表示されると、重ね合わせ部材の透視部を介して表示領域の第２の色が視認されるが、透視部との組み合わせによって通知情報を表示するための非透視部が第２の色からなるため、透視部と非透視部との組み合わせによる通知情報は視認困難となる。このようにして、情報表示部材に設けられた表示領域に重ね合わせ部材が重ね合わされた状態で表示領域にて表示される色を第１及び第２の色のいずれかに切り替えることにより、重ね合わせ部材による通知情報を表示したり表示しなかったりすることができる。そして、表示領域上には、互いに異なる通知情報に応じた形状に透視部と非透視部とが組み合わされてなる複数の重ね合わせ部材が選択的に重ね合わされるので、所望の通知情報に応じた重ね合わせ部材を表示領域上に重ね合わせることによって、所望の通知情報を表示したり表示しなかったりすることができ、汎用性を持たせることができる。
【発明の効果】
【００１０】
以上説明したように本発明においては、第１及び第２の色のいずれかを切り替え可能に表示する表示領域を具備する情報表示部材と、通知情報に応じた形状に透視部と第１の色からなる非透視部とが組み合わされてなる重ね合わせ部材とを有し、表示領域上に、互いに異なる通知情報に応じた形状に透視部と非透視部とが組み合わされてなる複数の重ね合わせ部材が選択的に重ね合わされる構成としたため、所望の通知情報に応じた重ね合わせ部材を表示領域上に重ね合わせた状態で、表示領域にて表示される色を第１及び第２の色のいずれかに切り替えることにより、所望の通知情報を表示したり表示しなかったりすることができ、汎用性を持たせることができる。
【図面の簡単な説明】
【００１１】
【図１】本発明の情報表示装置の実施の一形態を示す図であり、（ａ）は外観斜視図、（ｂ）は重ね合わせラベルの表面図、（ｃ）は（ｂ）に示したＡ−Ａ’断面図、（ｄ）は情報表示シートの表面図、（ｅ）は情報表示シートの内部構造を示す図、（ｆ）は（ｄ）に示したＢ−Ｂ’断面図である。
【図２】図１に示した情報表示ボードの利用方法の一例を示す図である。
【図３】図１に示した情報表示ボードにおいて重ね合わせラベルとして図１に示したものとは異なるものを用いた場合の形態を示す図であり、（ａ）は重ね合わせラベルの他の形態を示す図、（ｂ）は図１に示した情報表示シートに（ａ）に示した重ね合わせラベルを貼着した場合の表示状態を示す図であり、（ｃ）は図１に示した情報表示シートに（ａ）に示した重ね合わせラベルを貼着した場合の表示状態を示す図である。
【図４】本発明の情報表示装置の他の実施の形態を示す図であり、（ａ）は情報表示部材の表面図、（ｂ）は（ａ）に示した情報表示部材に重ね合わされる重ね合わせシートの一例を示す図、（ｃ）は（ｂ）に示したＡ−Ａ’断面図である。
【図５】図４に示した出欠ボードの利用方法の一例を示す図である。
【図６】図５に示した出欠ボードにおいて、情報表示部材の嵌め込み部に嵌め込まれたネームプレートを取り替えた状態を示す図である。
【発明を実施するための形態】
【００１２】
以下に、本発明の実施の形態について図面を参照して説明する。
【００１３】
図１は、本発明の情報表示装置の実施の一形態を示す図であり、（ａ）は外観斜視図、（ｂ）は重ね合わせラベル１０の表面図、（ｃ）は（ｂ）に示したＡ−Ａ’断面図、（ｄ）は情報表示シート２０の表面図、（ｅ）は情報表示シート２０の内部構造を示す図、（ｆ）は（ｄ）に示したＢ−Ｂ’断面図である。
【００１４】
本形態は図１（ａ）に示すように、情報表示部材となる情報表示シート２０上に、重ね合わせ部材となる重ね合わせラベル１０が剥離可能に貼着されてなる情報表示ボード１である。
【００１５】
重ね合わせラベル１０は図１（ｂ），（ｃ）に示すように、ＰＥＴ等からなる透明フィルム１３の一方の面にマスク印刷１５が施されているとともに、他方の面に貼着後の剥離、再貼着が可能な透明な粘着剤１４が塗布されて構成されている。マスク印刷１５は、この情報表示ボード１を用いて通知したい情報に応じた形状で第２の色となる黒色インキを用いて施されており、本形態においては、“○”，“×”を通知情報とし、この“○”，“×”に応じた形状にマスク印刷１５が施されることにより、“○”を通知する領域に、マスク印刷１５が施されていない透視部１１ａとマスク印刷１５が施された非透視部１２ａとが設けられ、“×”を通知する領域に、マスク印刷１５が施されていない透視部１１ｂとマスク印刷１５が施された非透視部１２ｂとが設けられている。
【００１６】
情報表示シート２０は図１（ｄ）〜（ｆ）に示すように、一方の面に表示電極２３ａ，２３ｂ及び導体部２５ａ，２５ｂが形成されるとともに、ＩＣチップ２４及びこれに接続されたＣＰＵ２６が搭載されたベース基材３１と、ベース基材３１の表示電極２３ａ，２３ｂ及び導体部２５ａ，２５ｂが形成された面に積層された情報表示層３２と、情報表示層３２のベース基材３１とは反対側の面のうち表示電極２３ａ，２３ｂに対向する領域を含む一部の領域に積層された透明導電膜基板３５と、情報表示層３２及び透明導電膜基板３５のベース基材３１とは反対側の面のうち表示電極２３ａ，２３ｂに対向しない領域の全面に積層されたマスク層３６とから構成されている。そして、表示電極２３ａ，２３ｂに対向する領域が表示領域２１ａ，２１ｂとなっている。
【００１７】
ベース基材３１は、例えばＰＥＴ等からなり、情報表示層３２と対向する面に、例えば、銀ペーストやカーボンペースト等の導電ペーストや導電インキを用いたスクリーン印刷によって表示電極２３ａ，２３ｂ及び導体部２５ａ，２５ｂが形成されている。導体部２５ａ，２５ｂは、それぞれ二等辺三角形の形状を有し、二等辺三角形の頂点どうしが空隙を介して対向するようにベース基材３１上に形成されており、この二等辺三角形の頂点にＩＣチップ２４が接続されるように搭載されている。
【００１８】
透明導電膜基板３５は、ガラスや透明フィルム等からなる透明基板３４の一方の面に透明電極（例えば、ＩＴＯ）３３が形成されて構成されており、表示電極２３ａ，２３ｂと透明電極３３とが対向配置し、これら表示電極２３ａ，２３ｂと透明電極３３との間に情報表示層３２が挟み込まれている。
【００１９】
情報表示層３２は、表示電極２３ａ，２３ｂと透明電極３３との間の電位差に応じて情報を表示するものであって、透明電極３３に所定の電圧を印加した状態で表示電極２３ａ，２３ｂに互いに異なる電圧を選択的に印加することにより、情報表示層３２の表示電極２３ａ，２３ｂに対向する領域の状態が変化し、この状態の変化によって、表示領域２１ａ，２１ｂの色が互いに異なる色となり、この色の違いが透明導電膜基板３５側から視認されることになる。この情報表示層３２としては、例えば、電気泳動タイプや電子粉粒タイプ、エレクトロクロミック等が挙げられるが、マイクロカプセル方式の電気泳動タイプが最も好ましい。
【００２０】
このように構成された重ね合わせラベル１０と情報表示シート２０とが、図１（ａ）に示すように貼着されると、重ね合わせラベル１０の透視部１１ａと非透視部１２ａとからなる領域と情報表示シート２０の表示領域２１ａとが互いに対向し、また、重ね合わせラベル１０の透視部１１ｂと非透視部１２ｂとからなる領域と情報表示シート２０の表示領域２１ｂとが互いに対向し、それにより、表示領域２１ａ，２１ｂが重ね合わせラベル１０の透視部１１ａ，１１ｂを介して視認可能な状態となる。
【００２１】
以下に、上記のように構成された情報表示ボード１の利用方法について説明する。
【００２２】
図２は、図１に示した情報表示ボード１の利用方法の一例を示す図である。
【００２３】
図１に示した情報表示ボード１においては、情報表示シート２０上に重ね合わせラベル１０が貼着された状態で、例えば、商品に添付され、商品の検品結果が記憶されたＩＣタグが近接すると、導体部２５ａ，２５ｂからなるアンテナ及びＩＣチップ２４によってＩＣタグに記憶された検品結果が読み出され、ＣＰＵ２６の制御によって、読み出された検品結果に応じて表示電極２３ａ，２３ｂに電圧が印加される。検品結果が良品である場合は、例えば、表示電極２３ａにプラスの電圧が印加されるとともに、表示電極２３ｂにマイナスの電圧が印加される。すると、プラスの電圧が印加された表示電極２３ａに対向する領域においては、表示電極２３ａに対して透明電極３３側がマイナスとなる電位差が生じ、それにより、表示領域２１ａにて第１の色である白色が表示され、また、マイナスの電圧が印加された表示電極２３ｂに対向する領域においては、表示電極２３ｂに対して透明電極３３側がプラスとなる電位差が生じ、それにより、表示領域２１ｂにて第２の色である黒色が表示される。
【００２４】
すると、情報表示シート２０の表示領域２１ａ，２１ｂが、透視部１１ａ，１１ｂを介して視認可能であるため、図２（ａ）に示すように、表示領域２１ａに対向する領域においては、透視部１１ａを介して白色が視認可能となり、この白色と非透視部１２ａの黒色とによって、“○”が視認される。また、表示領域２１ｂに対向する領域においては、透視部１１ｂを介して黒色が視認可能となり、この黒色が非透視部１２ｂの黒色に重なって、“×”が視認困難となる。
【００２５】
また、検品結果が不良品である場合は、例えば、表示電極２３ａにマイナスの電圧が印加されるとともに、表示電極２３ｂにプラスの電圧が印加される。すると、マイナスの電圧が印加された表示電極２３ａに対向する領域においては、表示電極２３ａに対して透明電極３３側がプラスとなる電位差が生じ、それにより、表示領域２１ａにて黒色が表示され、また、プラスの電圧が印加された表示電極２３ｂに対向する領域においては、表示電極２３ｂに対して透明電極３３側がマイナスとなる電位差が生じ、それにより、表示領域２１ｂにて白色が表示される。
【００２６】
すると、情報表示シート２０の表示領域２１ａ，２１ｂが、透視部１１ａ，１１ｂを介して視認可能であるため、図２（ｂ）に示すように、表示領域２１ａに対向する領域においては、透視部１１ａを介して黒色が視認可能となり、この黒色が非透視部１２ａの黒色に重なって、“○”が視認困難となり、また、表示領域２１ｂに対向する領域においては、透視部１１ｂを介して白色が視認可能となり、この白色と非透視部１２ｂの黒色とによって、“×”が視認される。
【００２７】
このように、情報表示シート２０に貼着される重ね合わせラベル１０の透視部１１ａ，１１ｂと非透視部１２ａ，１２ｂとの組み合わせによって、情報表示シート２０の表示領域２１ａ，２１ｂにて黒色または白色を表示することにより所望の情報が表示されることになる。すなわち、情報表示シート２０の表示領域２１ａ，２１ｂ上のそれぞれに、“○”や“×”といった通知情報に応じた形状に透視部１１ａ，１１ｂと非透視部１２ａ，１２ｂとが組み合わされたラベルが選択的に重ね合わされることによって、“○”や“×”といった所望の通知情報が表示されたりされなかったりすることになり、重ね合わせラベルの透視部と非透視部との組み合わせによって、１つの表示領域上にて表示されたりされなかったりする情報を変えることができ、汎用性を持たせることができる。
【００２８】
また、重ね合わせラベル１１０を取り替えることによって、表示領域２１ａ，２１ｂに対向する領域における情報の表示形態を変えることもできる。
【００２９】
図３は、図１に示した情報表示ボード１において重ね合わせラベルとして図１に示したものとは異なるものを用いた場合の形態を示す図であり、（ａ）は重ね合わせラベルの他の形態を示す図、（ｂ）は図１に示した情報表示シート２０に（ａ）に示した重ね合わせラベル１１０を貼着した場合の表示状態を示す図であり、（ｃ）は図１に示した情報表示シート２０に（ａ）に示した重ね合わせラベル１１０を貼着した場合の表示状態を示す図である。
【００３０】
図３に示す重ね合わせラベル１１０は、図１に示したものに対して、第１の色を黒色とし、第２の色を白色とし、非透視部１１２ａ，１１２ｂが白色インキで印刷が施されていることにより構成されている点のみが異なるものである。
【００３１】
図３（ａ）に示す重ね合わせラベル１１０が情報表示シート２０上に貼着された状態で、例えば、商品に添付され、商品の検品結果が記憶されたＩＣタグが近接すると、上記同様の動作によって、検品結果が不良品である場合は、例えば、表示電極２３ａにプラスの電圧が印加されるとともに、表示電極２３ｂにマイナスの電圧が印加される。すると、プラスの電圧が印加された表示電極２３ａに対向する領域においては、表示電極２３ａに対して透明電極３３側がマイナスとなる電位差が生じ、それにより、表示領域２１ａにて第１の色である白色が表示され、また、マイナスの電圧が印加された表示電極２３ｂに対向する領域においては、表示電極２３ｂに対して透明電極３３側がプラスとなる電位差が生じ、それにより、表示領域２１ｂにて第２の色である黒色が表示される。
【００３２】
すると、情報表示シート２０の表示領域２１ａ，２１ｂが、透視部１１１ａ，１１１ｂを介して視認可能であるため、図３（ｂ）に示すように、表示領域２１ａに対向する領域においては、透視部１１１ａを介して白色が視認可能となり、この白色が非透視部１１２ａの白色に重なって、“○”が視認困難となり、また、表示領域２１ｂに対向する領域においては、透視部１１１ｂを介して黒色が視認可能となり、この黒色と非透視部１１２ｂの白色とによって、“×”が視認される。
【００３３】
また、検品結果が良品である場合は、例えば、表示電極２３ａにマイナスの電圧が印加されるとともに、表示電極２３ｂにプラスの電圧が印加される。すると、マイナスの電圧が印加された表示電極２３ａに対向する領域においては、表示電極２３ａに対して透明電極３３側がプラスとなる電位差が生じ、それにより、表示領域２１ａにて黒色が表示され、また、プラスの電圧が印加された表示電極２３ｂに対向する領域においては、表示電極２３ｂに対して透明電極３３側がマイナスとなる電位差が生じ、それにより、表示領域２１ｂにて白色が表示される。
【００３４】
すると、情報表示シート２０の表示領域２１ａ，２１ｂが、透視部１１１ａ，１１１ｂを介して視認可能であるため、図３（ｃ）に示すように、表示領域２１ａに対向する領域においては、透視部１１１ａを介して黒色が視認可能となり、この黒色と非透視部１１２ａの白色とによって、“○”が視認される。また、表示領域２１ｂに対向する領域においては、透視部１１１ｂを介して白色が視認可能となり、この白色が非透視部１１２ｂの白色に重なって、“×”が視認困難となる。
【００３５】
このように、情報表示シート２０に貼着される重ね合わせラベル１１０を取り替えることによって、表示領域２１ａ，２１ｂに対向する領域における情報の表示形態を変えることができ、さらに汎用性を持たせることができる。
【００３６】
（他の実施の形態）
図４は、本発明の情報表示装置の他の実施の形態を示す図であり、（ａ）は情報表示部材の表面図、（ｂ）は（ａ）に示した情報表示部材２２０に重ね合わされる重ね合わせシートの一例を示す図、（ｃ）は（ｂ）に示したＡ−Ａ’断面図である。
【００３７】
本形態における情報表示部材は図４（ａ）に示すように、図１に示したものと同様の６つの表示領域２２１ａ〜２２１ｆが設けられるとともに、この表示領域２２１ａ〜２２１ｆに、重ね合わせ部材となるネームプレートを嵌め込むための嵌め込み部２２７ａ〜２２７ｆが設けられているものであって、表示領域２２１ａ〜２２１ｆにおける色の表示制御等については、図１に示したものと同様である。なお、ネームプレートを表示領域２２１ａ〜２２１ｆに重ね合わせる手段としては、嵌め込み部２２７ａ〜２２７ｆを設けること以外にも、マグネットを用いることも考えられる。
【００３８】
また、嵌め込み部２２７ａ〜２２７ｆに嵌め込まれるネームプレートは、図４（ｂ），（ｃ）に示すように、無色透明なアクリル板２１３上に、このネームプレート２１０ａを用いて通知したい情報に応じた形状で第２の色となる黒色インキを用いて印刷が施されてなる印刷層２１５が形成されたものであって、本形態においては、“山田”を通知情報とし、この“山田”に応じた形状の印刷層２１５が形成されることにより、“山田”の形状の非透視部２１２ａと、それ以外の領域の透過部２１１ａとが組み合わされている。
【００３９】
このように構成された情報表示部材２２０とネームプレート２１０ａとから本形態における出欠ボードが構成される。
【００４０】
以下に、上記のように構成された出欠ボードの利用方法について説明する。
【００４１】
図５は、図４に示した出欠ボードの利用方法の一例を示す図である。
【００４２】
図４に示した出欠ボードにおいては、図５（ａ）に示すように、情報表示部材２２０の表示領域２２１ａ〜２２１ｆにそれぞれ設けられた嵌め込み部２２７ａ〜２２７ｆに、図４（ａ），（ｂ）に示したものと同様の構成を有するネームプレート２１０ａ〜２１０ｆを嵌め込んで利用される。
【００４３】
この状態において、例えば、ネームプレート２１０ｄに形成された印刷層によって名前が表示された人物が欠席、それ以外の人物が出席の場合、その旨が、図１に示した導体部２５ａ，２５ｂ及びＩＣチップ２４を用いた通信や、その他の入力手段（不図示）によって入力されると、情報表示部材２２０の表示領域２２１ａ〜２２１ｆのうち、表示領域２２１ｄのみにて黒色が表示され、その他の表示領域２２１ａ〜２２１ｃ，２２１ｅ，２２１ｆにて白色が表示され、図５（ｂ）に示すように、表示領域２２１ａ〜２２１ｃ，２２１ｅ，２２１ｆに対向する領域においては、ネームプレート２１０ａ〜２１０ｃ，２１０ｅ，２１０ｆの透視部２１１ａ〜２１１ｃ，２１１ｅ，２１１ｆを介して白色が視認可能となり、この白色とネームプレート２１０ａ〜２１０ｃ，２１０ｅ，２１０ｆの非透視部２１２ａ〜２１２ｃ，２１２ｅ，２１２ｆの黒色とによって、ネームプレート２１０ａ〜２１０ｃ，２１０ｅ，２１０ｆに表示された非透視部２１２ａ〜２１２ｃ，２１２ｅ，２１２ｆによる、“山田”、“田中”、“小林”、“山口”、“中山”という文字が視認され、また、表示領域２２１ｄに対向する領域においては、ネームプレート２１０ｄの透視部２１１ｄを介して黒色が視認可能となり、この黒色がネームプレート２１０ｄの非透視部２１２ｄの黒色に重なって、ネームプレート２１０ｄに表示された非透視部２１２ｄによる、“村上”という文字が視認困難となる。
【００４４】
また、ネームプレート２１０ｂ，２１０ｆに形成された印刷層によって名前が表示された人物が欠席、それ以外の人物が出席の場合は、情報表示部材２２０の表示領域２２１ａ〜２２１ｆのうち、表示領域２２１ｂ，２１０ｆのみにて黒色が表示され、その他の表示領域２２１ａ，２２１ｃ〜２２１ｅにて白色が表示されると、図５（ｃ）に示すように、表示領域２２１ａ，２２１ｃ〜２２１ｅに対向する領域においては、ネームプレート２１０ａ，２１０ｃ〜２１０ｅの透視部２１１ａ，２１１ｃ〜２１１ｅを介して白色が視認可能となり、この白色とネームプレート２１０ａ，２１０ｃ〜２１０ｅの非透視部２１２ａ，２１２ｃ〜２１２ｅの黒色とによって、ネームプレート２１０ａ，２１０ｃ〜２１０ｅに表示された非透視部２１２ａ，２１２ｃ〜２１２ｅによる、“山田”、“小林”、“村上”、“山口”という文字が視認され、また、表示領域２２１ｂ，２２１ｆに対向する領域においては、ネームプレート２１０ｂ，２１０ｆの透視部２１１ｂ，２１１ｆを介して黒色が視認可能となり、この黒色がネームプレート２１０ｂ，２１０ｆの非透視部２１２ｂ，２１２ｆの黒色に重なって、ネームプレート２１０ｂ，２１０ｆに表示された非透視部２１２ｂ，２１２ｆによる、“田中”、“中山”という文字が視認困難となる。
【００４５】
このように、情報表示部材２２０の嵌め込み部２２７ａ〜２２７ｆに嵌め込まれるネームプレート２１０ａ〜２１０ｆの透視部２１１ａ〜２１１ｆと非透視部２１２ａ〜２１２ｆとの組み合わせによって、情報表示部材２２０の表示領域２２１ａ〜２２１ｆにて黒色または白色を表示することにより所望の情報が表示されることになる。すなわち、情報表示部材２２０の表示領域２２１ａ〜２２１ｆ上のそれぞれに、名前が印刷されることにより、その名前に応じた形状に透視部２１１ａ〜２１１ｆと非透視部２１２ａ〜２１２ｆとが組み合わされたネームプレート２１０ａ〜２１０ｆが選択的に重ね合わされることによって、ネームプレート２１０ａ〜２１０ｆ上の“山田”、“田中”、“小林”、“村上”、“山口”、“中山”といった通知情報が表示されたりされなかったりすることになる。
【００４６】
このような出欠ボードは、ネームプレートを取り替えることによって、表示領域２２１ａ〜２２１ｆに対向する領域にて表示されたりされなかったりする情報を変えることもできる。
【００４７】
図６は、図５に示した出欠ボード２０１において、情報表示部材２２０の嵌め込み部２２７ｃに嵌め込まれたネームプレート２１０ｃを取り替えた状態を示す図である。
【００４８】
図６に示すように、図５に示した出欠ボード２０１において、情報表示部材２２０の嵌め込み部２２７ｃに嵌め込まれたネームプレート２１０ｃをこれとは別のネームプレート２１０ｇに取り替えることができる。これにより、ネームプレート２１０ｇに表示された“田上”という情報を、表示領域２２１ｃにて表示される色を上記同様に切り替えることにより、表示されたりされなかったりすることができ、嵌め込み部２２７ａ〜２２７ｆに嵌め込んで表示領域２２１ａ〜２２１ｆに重ね合わせるネームプレートの透視部と非透視部との組み合わせによって、１つの表示領域上にて表示されたりされなかったりする情報を変えることができ、汎用性を持たせることができる。
【符号の説明】
【００４９】
１    情報表示ボード
１０，１１０    重ね合わせラベル
１１ａ，１１ｂ，１１１ａ，１１１ｂ，２１１ａ〜２１１ｆ    透視部
１２ａ，１２ｂ，１１２ａ，１１２ｂ，２１２ａ〜２１２ｆ    非透視部
１３    透明フィルム
１４    粘着剤
１５    マスク印刷
２０    情報表示シート
２１ａ，２１ｂ，２２１ａ〜２２１ｆ    表示領域
２３ａ，２３ｂ    表示電極
２４    ＩＣチップ
２５ａ，２５ｂ    導体部
２６    ＣＰＵ
３１    ベース基材
３２    情報表示層
３３    透明電極
３４    透明基板
３５    透明導電膜基板
３６    マスク層
２０１    出欠ボード
２１０ａ〜２１０ｇ    ネームプレート
２１３    アクリル板
２１４    印刷層
２２０    情報表示部材
２２７ａ〜２２７ｆ    嵌め込み部
【図１】
2012123171.tif 000003
【図２】
2012123171.tif 000004
【図３】
2012123171.tif 000005
【図４】
2012123171.tif 000006
【図５】
2012123171.tif 000007
【図６】
2012123171.tif 000008